(57)【要約】【課題】撮影技術のスキルアップが図れるカメラや、それを援助する通信制御装置、撮影技術援助システム、撮影技術援助方法およびプログラムを提供する。【解決手段】参照撮影時に、ＲＯＭ１６に記録されている参照画像から、被写体の特徴を抽出する特徴抽出手段（色判別部６ｂ、コントラスト判定部６ｃ、顔検出部６ｄ）によって被写体に類似する参照画像を選択して、選択された参照画像の撮影条件に基づいて撮影が行われる。そして、参照画像の撮影条件に従って行われた撮影画像と参照画像の付属情報を通信制御装置５２に送信する。通信制御装置５２からプロカメラマン５１に撮影画像が送信され、プロカメラマン５１から撮影画像に対する批評コメントＤｐがカメラ１に送り返される。【選択図】図１
2008066886.tif 000002
【特許請求の範囲】
【請求項１】
被写体と背景からなる撮影シーンを撮像するための撮像素子と、
上記撮像素子出力から上記撮影シーンの特徴を抽出する特徴抽出手段と、
上記撮影シーンの特徴とメモリ内に記憶された複数の参照画像の特徴を比較して、上記複数の参照画像の中から上記撮影シーンに類似する参照画像を選択する画像選択手段と、
上記選択された参照画像を表示する表示手段と、
撮影時に、上記撮影画像と上記表示手段に表示された参照画像に関する情報を合わせて記録する記録手段と、備える
ことを特徴とするカメラ。
【請求項２】
上記参照画像に関する情報には、参照画像を撮影した撮影者の情報が含まれる
ことを特徴とする請求項１に記載のカメラ。
【請求項３】
上記メモリに記憶された参照画像には、撮影時の注意を含むコメント情報が添付されている
ことを特徴とする請求項１に記載のカメラ。
【請求項４】
ユーザーから送信された撮影画像を所定のアドレスに送信する通信制御装置において、
上記通信制御装置は、他人により撮影された参照画像を参考にして撮影されたユーザーの撮影画像を受信して、ユーザーの撮影画像に添付された上記参照画像の情報に基づいて送信アドレスを決定する
ことを特徴とする通信制御装置。
【請求項５】
上記参照画像の情報には、撮影時の注意を含むコメント情報が添付されている
ことを特徴とする請求項４に記載の通信制御装置。
【請求項６】
撮影を援助するための参照画像を複数記憶する記憶部と、
撮影しようとする被写体の特徴を抽出する特徴抽出部と、
抽出された被写体の特徴に合わせて、上記記憶部より利用する参照画像を選択する選択部と、
上記選択された参照画像の撮影条件に基づいて、撮影を制御する撮影制御部と、
上記参照画像の撮影条件に基づいて撮影された画像を、利用した参照画像の情報と合わせて記録媒体に記録する記録部と、
参照画像を利用して撮影された撮影画像を利用した参照画像の情報とともに、その参照画像を提供した外部機関のアドレスに出力する出力部とを備える
ことを特徴とするカメラ。
【請求項７】
上記出力部は、参照画像に付属される情報により決定される外部機関のアドレスに出力する
ことを特徴とする請求項６に記載のカメラ。
【請求項８】
カメラと、このカメラとネットワークを介して接続され撮影技術向上に役立つデータを提供する通信制御装置からなる撮影技術援助システムにおいて、
上記カメラは、
撮影の手本となるような画像である参照画像を利用して撮影を行う撮影制御部と、
参照画像に基づいて撮影された上記撮影画像と利用した参照画像に付帯された情報を、利用した参照画像に付帯される情報から検出される上記通信制御装置のアドレスに送信する出力部と、を備え
上記通信制御装置は、
上記カメラから送信された上記撮影画像と参照画像に付帯された情報を受信し、参照画像に付帯された情報からその参照画像に対応する批評者を検出して、この撮影画像をその批評者に送信し、批評者から送信されるその撮影画像に対する批評データを上記カメラに送り返す
ことを特徴とする撮影技術援助システム。
【請求項９】
上記通信制御装置は、上記カメラには保存されていない新たな参照画像に関するデータを上記批評データとともにカメラに送信する
ことを特徴とする請求項８に記載の撮影技術援助システム。
【請求項１０】
上記通信制御装置は、上記新たな参照画像に関するデータとして、その参照画像のカタログデータを送信する
ことを特徴とする請求項９に記載の撮影技術援助システム。
【請求項１１】
上記通信制御装置は、上記参照画像のカタログデータの送信後に、上記カメラのユーザーからの入金を確認して、参照画像の実際のデータをカメラに送信する
ことを特徴とする請求項１０に記載の撮影技術援助システム。
【請求項１２】
上記カメラは、
参照画像を記憶する記憶部と、
撮影する被写体の特徴を検出する特徴抽出部を備え、
上記撮影制御部は、検出された被写体の特徴に類似する参照画像を上記記憶部から選択し、選択された参照画像の撮影条件に基づいて撮影を制御する
ことを特徴とする請求項８に記載の撮影技術援助システム。
【請求項１３】
上記カメラは、
参照画像と、参照画像に付帯される撮影時の注意事項と、撮影する被写体像を表示する表示部を備える
ことを特徴とする請求項１２に記載の撮影技術援助システム。
【請求項１４】
ネットワークを介して接続されるカメラに撮影技術向上に役立つデータを提供する通信制御装置において、
上記カメラで撮影の手本となるような画像である参照画像に基づいて撮影された撮影画像と利用された参照画像に付帯された情報が、利用した参照画像に付帯された情報から検出されるこの通信制御装置のアドレスに、上記カメラから送信され、
上記通信制御装置は、
送信される上記撮影画像と参照画像に付帯された情報を受信し、参照画像に付帯された情報からその参照画像に対応する批評者を検出して、この撮影画像をその批評者に送信し、批評者から送信されるその撮影画像に対する批評データを上記カメラに送り返す
ことを特徴とする通信制御装置。
【請求項１５】
ネットワークを介して接続されるカメラに撮影技術向上に役立つデータを提供する撮影技術援助方法において、
上記カメラで撮影の手本となるような画像である参照画像に基づいて撮影された撮影画像と利用された参照画像に付帯された情報を、利用した参照画像に付帯された情報から検出されるアドレスに、上記カメラから送信するステップと、
上記送信される撮影画像と参照画像に付帯された情報を受信するステップと、
参照画像に付帯された情報からその参照画像に対応する批評者を検出して、この撮影画像をその批評者に送信するステップと、
批評者から送信されるその撮影画像に対する批評データを上記カメラに送り返すステップ  を有する
ことを特徴とする撮影技術援助方法。
【請求項１６】
ネットワークを介して接続されるカメラに撮影技術向上に役立つデータを提供する通信制御装置のコンピュータに、
撮影の手本となるような画像である参照画像に基づいて上記カメラで撮影された撮影画像と利用された参照画像に付帯された情報であって、参照画像に付帯された情報に基づいたアドレスによってこの通信制御装置に向かってカメラから送信された上記撮影画像と情報を受信するステップと、
参照画像に付帯された情報からその参照画像に対応する批評者を検出して、この撮影画像をその批評者に送信するステップと、
批評者から送信されるその撮影画像に対する批評データを上記カメラに送り返すステップを実行させる
ことを特徴とするプログラム。
【発明の詳細な説明】
【技術分野】
【０００１】
本発明は、撮影者の撮影技術のスキルアップを援助する技術に関する。
【背景技術】
【０００２】
デジタルカメラにおいてＡＥやＡＦ等の自動化が進み、その場で撮影した画像を確認できるようになっているが、自分のイメージ通り撮影するのは以外に難しいものである。いい写真を撮るには、相応の撮影技術が伴わなければならず、ましてや作品と呼ばれるような撮影を行うには、かなりのトレーニングを積む必要がある。  
【０００３】
そこで、撮影の援助となる参照画像を予めメモリに記録しておき、この参照画像を利用して、上記の撮影技術の向上を図るカメラも提案されている。例えば、良い構図の撮影が簡単にできるように、光学ファインダー内に構図表示用の透過型ＬＣＤが内蔵され、被写体像を推奨構図と比較しながら撮影できるカメラが提案されている（特許文献１）。
【０００４】
また、初心者であっても適切な撮影条件を簡単に設定できるように、撮影時に見本画像を選択すると、撮影条件が自動的に設定されるカメラも提案されている（特許文献２）。
【０００５】
さらに、外部との画像通信も簡単にできるネットワーク環境が十分に整備されたので、これを利用しての撮影技術教育の提案もある。例えば、ネットワークを介して撮影した画像を送信するとそれに対して批評コメントが送信する教育システムに関する提案がされている（特許文献３）。
【特許文献１】特開２００１−１６６３６９号公報
【特許文献２】特開２００２−２６２１７０号公報
【特許文献３】特開２００４−２１２６８３号公報
【発明の開示】
【発明が解決しようとする課題】
【０００６】
従来、アマチュアの写真愛好家は地域の写真愛好会に参加して展覧会にそれを出展したり、写真雑誌に投稿したりして写真を発表するのが一般的なやり方である。また、写真の技術を向上させようとすると、これまでは、写真教室などに参加して、講師の意見を聞いたり、プリントを撮影仲間の前に並べてあれこれ批評を仰いだりする方法が普通であった。
【０００７】
近年、ＩＴ技術の進展によって、ホームページやプログなどインターネットを前提とした技術において、エッセイなどの文字のみならず、比較的精細な画像も重要な表現手段として簡単に扱えるようになり、それが市場に認知されるようになった。そして、こうした場において、自慢の写真作品を出展する愛好家が増加している。このような場では、簡単に多くの人の目に触れさせることができることもあり、写真撮影の腕を上げたい人が増加している。
【０００８】
写真を撮影しても、年に何度かの展覧会に出展するのがせいいっぱいの時代とは、上述したような近年の写真発表のネットを前提として時代では、技術向上の方法も変わってきている。いわゆるＳＮＳ（Social Networking Site）のような場を使って、写真の技術を向上させることを考えられる。
【０００９】
そこで、デジタルカメラの有する機能とIT技術を十分に活用して、撮影時により簡単にプロカメラマンの構図を見習った撮影および撮影した画像に対する評価を受けるようなサービスを簡単に利用できるようなシステムの実現が望まれる。
【００１０】
本発明は、上記課題に鑑み、撮影技術のスキルアップが図れるカメラや、それを援助する通信制御装置、撮影技術援助システム、撮影技術援助方法およびプログラムを提供するものである。
【課題を解決するための手段】
【００１１】
上記目的を達成するために、第１の発明によるカメラは、被写体と背景からなる撮影シーンを撮像するための撮像素子と、上記撮像素子出力から上記撮影シーンの特徴を抽出する特徴抽出手段と、上記撮影シーンの特徴とメモリ内に記憶された複数の参照画像の特徴を比較して、上記複数の参照画像の中から上記撮影シーンに類似する参照画像を選択する画像選択手段と、上記選択された参照画像を表示する表示手段と、撮影時に、上記撮影画像と上記表示手段に表示された参照画像に関する情報を合わせて記録する記録手段と、備えるものである。
【００１２】
また、第２の発明による通信制御装置は、ユーザーから送信された撮影画像を所定のアドレスに送信する通信制御装置において、上記通信制御装置は、他人により撮影された参照画像を参考にして撮影されたユーザーの撮影画像を受信して、ユーザーの撮影画像に添付された上記参照画像の情報に基づいて送信アドレスを決定する  ものである。
【００１３】
また、第３の発明による撮影技術援助システムは、カメラと、このカメラとネットワークを介して接続され撮影技術向上に役立つデータを提供する通信制御装置からなる撮影技術援助システムにおいて、上記カメラは、撮影の手本となるような画像である参照画像を利用して撮影を行う撮影制御部と、参照画像に基づいて撮影された上記撮影画像と利用した参照画像に付帯された情報を、利用した参照画像に付帯される情報から検出される上記通信制御装置のアドレスに送信する出力部と、を備え、上記通信制御装置は、上記カメラから送信された上記撮影画像と参照画像に付帯された情報を受信し、参照画像に付帯された情報からその参照画像に対応する批評者を検出して、この撮影画像をその批評者に送信し、批評者から送信されるその撮影画像に対する批評データを上記カメラに送り返す  ものである。
【００１４】
また、第４の発明による撮影技術援助方法は、ネットワークを介して接続されるカメラに撮影技術向上に役立つデータを提供する撮影技術援助方法において、上記カメラで撮影の手本となるような画像である参照画像に基づいて撮影された撮影画像と利用された参照画像に付帯された情報を、利用した参照画像に付帯された情報から検出されるアドレスに、上記カメラから送信するステップと、上記送信される撮影画像と参照画像に付帯された情報を受信するステップと、参照画像に付帯された情報からその参照画像に対応する批評者を検出して、この撮影画像をその批評者に送信するステップと、批評者から送信されるその撮影画像に対する批評データを上記カメラに送り返すステップ  を有するものである。
【発明の効果】
【００１５】
本発明によれば、撮影技術のスキルアップが図れるカメラや、それを援助する通信制御装置、撮影技術援助システム、撮影技術援助方法およびプログラムを提供することができる。
【発明を実施するための最良の形態】
【００１６】
以下本発明を実施するための最良の形態を図面を参照して説明する。
（第１実施形態）
図１から図９を用いて第１実施形態を説明する。図１は、本発明が適用されるカメラ１の全体ブロック図である。カメラ１には、撮像ユニットとして、撮影レンズ部２、ＡＦ制御部２ａ、絞り部３、絞り制御部３ａ、撮像素子４、アナログフロントエンド（以下、ＡＦＥと略す）部５が設けられる。
【００１７】
撮影レンズ部２は、入射した被写体２０の像を撮像素子４に結像する。撮影レンズ部２は内部にフォーカスレンズを有する。ＡＦ（オートフォーカス）制御部２ａは、合焦位置を検出して、フォーカスレンズを駆動して、フォーカスレンズを合焦位置に移動させる。ＡＦ制御部２ａは、いわゆる山登り検出と呼ばれる、撮影画像のコントラスト信号ピークから合焦位置（ピント位置）を検出する。
【００１８】
この撮影レンズ部２内または近傍には、シャッターや絞りの効果を奏する絞り部３が設けられる。絞り部３は、撮影時に所定の口径まで開き、露出が終了すると閉じて露光を終了させるものである。これは撮影時に所定の口径まで開き、露出が終了すると、閉じて露光を終了させるものである。絞り制御部３ａは、絞り部３を駆動して絞り径を設定する。この絞りを変えることによって、レンズの被写界深度が変化するので、背景のぼけ具合などを調整して、被写体を浮かび上がらせたり、背景をしっかりと描写したりするなど、表現の切替を行うことができる。
【００１９】
撮像素子４は、多数の受光面（画素）からなるＣＣＤやＣＭＯＳセンサ等である。撮像素子４は、撮影レンズ部２を介して被写体２０からの像を受光しこれを画像信号に変換する。
【００２０】
アナログフロントエンド（ＡＦＥ）部５は、ＡＤ（アナログデジタル変換）手段を含み、撮像素子４からの信号をデジタル信号化する。そして、ＡＦＥ部５は、撮像素子４から出力される画像信号について各種処理を行う。また、ＡＦＥ部５には、撮像素子４のいくつかの画素をまとめて、一括して読み出す機能も設けられている。たとえば、４画素（２×２）や９画素（３×３）など、各画素の信号レベルが小さいときには、いくつかの画素信号を加算して、Ｓ／Ｎを向上させることが出来る。このような操作によって、感度を上げることも出来る。このように撮像素子のいくつかの同色の画素信号を加算して利用することによって、Ｓ／Ｎを改善することができる。
【００２１】
このような操作によって、感度を上げることなども出来る。このように、感度が上げられると、シャッタースピードを速くするなどの撮影上の工夫が可能となる。シャッタースピードが速いと、動いている被写体が止まっているように撮影することなどが可能となる。シャッタースピードをユーザーが切り替え可能とし、適正露出を絞りや感度の制御で行うカメラでは、一般的にシャッタースピードを遅くすれば、例えば、川の流れを撮影する際に、水の流れが糸のように伸びた描写が可能となる。シャッタースピードを速くすれば、同じ川の流れを撮影したとしても、その瞬間がとらえられ、水しぶきが上がった瞬間や、さざなみの様子が細かく再現可能となる。また、スポーツ写真でも、シャッタースピードを速くすれば、被写体の動きを止めることが出来、その表情までをはっきり写しこむことが可能となる。シャッタースピードや絞り値の設定にはいろいろなノウハウがある。専門の写真家がどのような絞り値、シャッタースピードで撮影しているかを知ることは撮影上参考になる。また、絞り優先、シャッター優先、どちらで撮った方がよいかも、参考になる。
【００２２】
また、ＡＦＥ部５は、撮像素子４の出力する画像信号を取捨選択する機能も有し、全部の受光面から限られた範囲の画像データを抽出することが出来る。この制御によって、所定の領域のみの画像を記録すれば、いわゆるトリミングと同様の効果を出すことも出来る。
【００２３】
カメラ１には、画像処理部６、増感部６ａ、色判別部６ｂ、コントラスト判定部６ｃ及び顔検出部６ｄが設けられる。画像処理部６は、入力信号の色や階調やシャープネスを補正処理する。画像処理部６内には、増感部６ａが設けられる。増感部６ａは、得られた画像信号を所定のレベルに増幅して、正しい濃淡、正しい灰色レベルに設定する。増感部６ａは、ディジタル化された信号レベルが所定レベルになるように、信号をディジタル演算するものである。
【００２４】
また、画像処理部６には、画像処理部６の信号を利用して、撮像素子４から入力されてくる画像の特徴を抽出する特徴抽出手段が接続される。特徴抽出手段には、色判別部６ｂ、コントラスト判定部６ｃ、顔検出部６ｄが含まれる。この特徴抽出手段を利用して、ユーザーが撮影しようとしているシーンが判断される。特徴抽出手段は、写真撮影時に、ユーザーがどのような写真を撮ろうとしているかを判定するためのものである。
【００２５】
色判別部６ｂは、画像情報に含まれる色成分を検出する。コントラスト判定部６ｃは、画像信号のコントラストを判定する。またコントラストは、AF制御部２ａのオートフォーカスの制御にも利用される。このピント合わせ時のレンズ位置の情報によって、被写体の距離や、背景の距離なども判定できる。顔検出部６ｄは、画像の特徴を調べて画面に顔が存在するか否かを検出する。
【００２６】
また画像処理部６は、ライブ画像をリアルタイムに表示部に表示できるように、撮像素子４からの信号を表示部に表示できるようなサイズに加工するリサイズ手段を有する。この働きによって、撮影に先立って撮像素子に入射する像を確認でき、これを見ながら撮影時のタイミングやシャッターチャンスを決定することが出来る。
【００２７】
また、カメラ１には、圧縮伸長部７、記録再生部８、記録メディア９、入出力部１０、表示制御部１１及び表示部１２が設けられる。圧縮伸長部７は、撮影時に画像処理部６から出力された信号を圧縮する。圧縮伸長部７内には、ＭＰＥＧ４やＨ．２６４などの圧縮用コア部で構成される動画用の圧縮部M  ７ａ及び  ＪＰＥＧコア部など静止画像用の圧縮部S  ７ｂが設けられる。記録再生部８は、ここで圧縮された画像信号を記録メディア９に記録する。記録メディア９はカメラに着脱可能な保存用の記録媒体である。  
【００２８】
表示部１２は、例えば液晶や有機ＥＬ等から構成され、撮影時にはモニタ画像を表示し、再生時には伸張処理された記録画像を表示する。表示制御部１１は、表示部１２を制御する。また、表示制御部１１はマルチ制御部１１ａを有する。マルチ制御部１１ａは、表示部１２に複数画像の画像を同時に表示させる。これは、例えば、奇数番目に入力された画像を画面の左側に、偶数番目に入力された画像信号を画面の右側に表示するような制御を司る。このマルチ画面表示機能によって、撮影した画像を比較して鑑賞したりすることが可能となる。
【００２９】
再生時には、圧縮伸長部７は記録メディア９に記録された圧縮データを伸張し、画像処理部６はさらに表示に適した画像に変換処理する。この再生画像が、表示制御部１１を介して表示部１２にて鑑賞される。  
【００３０】
入出力部１０は、外部と画像データやその他のデータのやり取りを中継する。入出力部１０は、ＰＣ（Ｐｅｒｓｏｎａｌ  ｃｏｍｐｕｔｅｒ）を介してまたは単独で外部のネットワーク５０に接続される。このネットワーク５０には、予めカメラのユーザーと契約したプロバイダ（サービス会社）の通信制御装置５２、およびプロバイダによって契約されたプロのカメラマンや写真教室の講師（以下代表してプロカメラマン５１、あるいは批評者と称す）の端末が接続される。
【００３１】
カメラ１には、補助光発光部１３、ＭＰＵ１４、ＲＯＭ１６、レリーズスイッチ１５ａ、モードスイッチ１５ｂ、他のスイッチ１５ｃが設けられる。補助光発光部１３は、白色ＬＥＤやＸｅ放電発光管を有し、流す電流量で光量が制御できるようになっている。状況に応じて被写体２０に光を照射して、明るさの不足や不均一な明るさを防止する。
【００３２】
ＭＰＵ１４は、カメラ全体の制御を司る制御手段である。レリーズスイッチ１５ａ、モードスイッチ１５ｂ、他のスイッチ１５ｃ、およびＲＯＭ１６は、ＭＰＵ１４に接続される。各スイッチ１５ａ〜１５ｃは、ユーザーの操作を検出して、その結果をマイクロコントローラからなる演算制御手段であるＭＰＵ１４に通知する。ＭＰＵ１４が、これらのスイッチの操作に従って、撮影／再生のモード切替や撮影モードの切替などを切換える。
【００３３】
またＭＰＵ１４は撮影時には、ＡＦ制御部２ａや絞り制御部３ａ等の制御を行う撮影制御部として機能する。また、ＭＰＵ１４は参照撮影時には、上記撮影シーンの特徴とメモリ内に記憶された複数の参照画像の特徴を比較して、上記複数の参照画像の中から上記撮影シーンに類似する参照画像を選択する画像選択手段としても機能する。
【００３４】
ＲＯＭ１６は、不揮発性でかつ記録可能なメモリで、例えばフラッシュＲＯＭからなり、カメラ１の制御処理を行う制御用のプログラムが格納される。ＭＰＵ１４は、ＲＯＭ１６からプログラムを読み込んで実行する。また、ＲＯＭ１６には、後述するお手本画像やその付属情報あるいは外部から送信された批評コメントが記憶される。
【００３５】
次に、参照撮影について説明する。上記したように、外部のネットワーク５０を経由して、カメラ１のＲＯＭ１６にはお手本画像が記録される。このお手本画像は、人物写真や風景写真などのカテゴリに分類されている。お手本画像には、データ化された写真の付属情報Ｄａが添付されている。この付属情報Ｄａには、人物写真の場合、その人物の顔の大きさや位置に関する情報が含まれ、画像と一緒にデータベース化される。この付属情報Ｄａを利用して、撮影したいシーンに対応するお手本画像を、ユーザーは簡単に呼び出し表示することも出来る。また、付属情報Ｄａには、撮影したカメラマンに関する情報も含まれ、その情報にはカメラマンのアドレスも含まれている。
【００３６】
そして撮影時に、これらお手本画像を表示制御部１１を介して表示部１２に表示させて、お手本画像を参照しながらの撮影を可能とする。このような撮影を参照撮影と称す。
【００３７】
以上のようなカメラ１が、前述のように入出力部１０を介してネットワーク５０に接続される。カメラ１で参照撮影された画像データとこれに添付される添付情報Ｄｃが入出力部１０より出力され、ＰＣ及びネットワーク５０などを介して、プロバイダの通信制御装置５２に保存される。
【００３８】
通信制御装置５２には、制御プログラムにより装置全体を制御するＣＰＵ５２ａ、ネットワークを介してカメラマンやユーザーとの通信を制御する通信部５２ｂ、制御プログラムやユーザーからの画像データあるいは参照画像データ等を保存するメモリ５２ｃ、ＨＰを作成するＨＰ作成部５２ｄが備えられる。
添付情報Ｄｃには参照したお手本画像に関する情報等が含まれる。プロバイダは、運営するホームページやブログなどのサービス媒体に送信された撮影画像を適宜掲載する。
【００３９】
また、通信制御装置５２の通信部５２ｂから、ネットワーク５０を介して、プロのカメラマン５１や写真教室の講師などにも、カメラ１の撮影画像が送信される。カメラマン５１からのその画像に対するコメント（批評コメントＤｐ）を通信制御装置５２の通信部５２ｂが受信する。内容を判断して、ＨＰ作成部５２ｄにより批評コメントＤｐをホームページに掲載する。また通信制御装置５２は、その批評コメントＤｐを撮影者本人へも送信する。
【００４０】
撮影者には通信制御装置５２から批評コメントＤｐ以外にも、プロカメラマンが撮影した写真が送信される。入出力部１０がこれを取得し記録再生部８がＲＯＭ１６に記録して、プロ写真家の画像データベースが作成される。以下このようなプロによる撮影された画像をお手本画像と称する。
【００４１】
なお、お手本画像の入手は、これはネット経由に限るものではなく、予め画像データが添付されたメモリーカードを購入して、これから読込可能な構成にしておいてもよい。また、お手本画像を記憶するメディアは、ＲＯＭ１６だけではなく、記録メディア９であってもよい。
【００４２】
図２は、参照撮影の撮影シーンを説明する図である。図２（Ａ）は、カメラ１の表示部１２の画像を見ているユーザーの様子を示す図である。ユーザーは写真撮影に先立って、これから撮影する写真のイメージを膨らませているところである。図２（Ｂ）はその表示内容を示す図である。表示部１２には、お手本画像Ｋｓ、それを撮影するための注意点など表現したガイド文Ｋｃなどが表示される（図２（Ｂ））。お手本画像Ｋｓのみならずそのような写真撮影時の予備知識をガイド文Ｋｃで読んだりして得ることが出来る。
【００４３】
図２（Ｃ）は、実際の撮影時にカメラ１が操作される様子を背面から見た図である。カメラ１の背面に設けられたモードスイッチ１５ｂを押すことにより、参照撮影が開始される。このようなカメラを構えて構図を確認している状態で、画像を判定する手段を利用して、それと類似したお手本画像をカメラの表示パネルに表示して、リアルタイムにプロのアドバイスを反映させることが出来る。
【００４４】
撮影時にこうしたプロが撮った写真を参照できるので、予備知識を持ちかつ撮りたい写真例を頭にインプットされるので写真のレベルが上がり、かつ撮影を楽しむことができる。
【００４５】
図３は、上記の参照撮影の制御処理の手順を示すフローチャートである。この処理は、色判別部６ｂ、コントラスト判定部６ｃ、顔検出部６ｄ等およびこれらを統括的に制御するＭＰＵ１４等により主に行われる。
【００４６】
まず、カメラ１が撮影モードに設定されているとする。そして、撮影モードでユーザーの撮影開始操作であるレリーズ操作を待つ（ステップＳ１）。レリーズスイッチ１５ａの操作がないときは（ステップＳ１ＮＯ），再生モードへの切替を判定する（ステップＳ１１）。ユーザーによる再生モードへの切換え設定があったと判断する場合は（ステップＳ１１ＹＥＳ）、再生モードに切換えて再生表示を行う（ステップＳ２１）。これは撮影結果からユーザーが選択したものを表示部１２に再生表示する処理である。また、電源オフ指示があったら（ステップＳ１２）、終了処理を実行する（ステップＳ１３）。
【００４７】
いずれの指示もなき時は、撮像・表示（ＡＦ）のステップを実行する（ステップＳ１４）。ここでは、必要に応じて、撮影レンズのピント位置を動かして画像のコントラスト変化を判定し、オートフォーカス動作を適宜実行する。次に、参照撮影が指示されたかを判断する（ステップＳ１５）。上記した図２（Ｃ）のように、カメラ１の背面に設けられたモードスイッチ１５ｂを押すことにより、参照撮影が開始される。参照撮影の指示がないときは（ステップＳ１５ＮＯ）、ステップＳ１に戻る。
【００４８】
参照撮影のモードでは（ステップＳ１５ＹＥＳ）、フレーミング中に取得したモニタ画像から、特徴抽出手段が被写体の特徴を検出する（ステップＳ１６）。
【００４９】
特徴抽出手段の中の顔検出部６ｄによる顔検出の原理を説明する。図４は、顔検出を説明するための図である。図４（Ａ）は、人の顔の陰影に対応するテンプレートである。テンプレートとして、３例を示す（ａ−１、ａ−２、ａ−３）。図４（Ｂ）は、表示部１２の画面を表す。この画面上で、テンプレートの大きさを変えながら画面内を移動させて、テンプレートのコントラストと一致する部分があるかを判定する。テンプレートとの一致度が高いところがあれば、そこに顔があると判定する。そして、検出した部分を、画面中で顔領域ｆとして特定する（図４（Ｃ））。そして、検出された被写体の特徴（顔、色、距離等）から、現被写体に類似するお手本画像を画像メモリ９内から検索する（ステップＳ１７）。
【００５０】
図５は類似画像検索のサブルーチンである。図４のフローチャートにより類似画像検索の手順を説明する。
【００５１】
類似画像検索はＭＰＵ１４によって行われる。まず、被写体に顔が存在するかを判断する（ステップＳ３１）。顔の存在はステップ１６の特徴抽出により検出されている。顔が含まれている時は（ステップＳ３１ＹＥＳ）、顔の大きさを判断する（ステップＳ３２）。顔が大きければ（ステップＳ３２ＹＥＳ）、お手本画像からポートレート画像を選択する(ステップＳ３４)。また、顔の位置と大きさ情報（円の半径の画面内に占める割合）を、メモリ内に記憶したお手本データベースが備えている。ポートレート画像を撮影するときには、プロのお手本画像をすぐに呼び出して、図２（Ｂ）のように画面８に、それを参照することが出来る。
【００５２】
顔が小さければ（ステップＳ３２ＮＯ）スナップ画像を選択する（ステップＳ３３）。また、顔が含まれていないシーン（ステップＳ３１ＮＯ）では、ピント合わせ結果（ＡＦ）による距離から、被写体距離が遠距離であるときは（ステップＳ３５ＹＥＳ）、風景画像を選択する（ステップＳ４１）。被写体距離が至近であれば（ステップＳ３６ＹＥＳ）、色によって（ステップＳ３７）、花の画像（ステップＳ３８）、アクセサリーなど小物の画像(ステップＳ３９)を選択する。それ以外はペットの画像を選択する（ステップＳ４０）。もちろん、風景なども色を判定し、例えば、青いものがある場所によって、空や海を判定し、オレンジ色なら夕暮れなどを判定して、よりきめ細かい画像選択を行うようにしてもよい。
【００５３】
図３のメインフローチャートに戻る。ステップＳ１７の類似画像検索によって検索された、候補となるお手本画像を記録メディア９から呼び出して表示する（ステップＳ１８）。候補が複数あるときは複数表示する。図６は、２つのお手本画像Ｋｓとモニタ画像Ｋｍが表示された画面である。複数表示されたお手本画像Ｋｓの候補から、ユーザーが１つを選択する（ステップＳ１９）。選択されたら（ステップＳ２０ＹＥＳ）、選択されたお手本画像Ｋｓとガイド文Ｋｃとモニタ画像Ｋｍを表示する（ステップＳ２０）。
【００５４】
図７はガイド文Ｋｃとモニタ画像Ｋｍを表示した例である。ここでは、お手本画像Ｋｓを表示せずに、その分ガイド文Ｋｃを大きく表示した例である。撮影時に、「背景をぼかすために、距離をもっと近くして撮影する」旨を推奨している。
【００５５】
また、ポートレート画像では「表情が重要である」、スナップ画像では「背景と主被写体のポーズのバランスなどが重要である」旨のガイド文Ｋｃが表示される。また、表示されるガイド文（コメント）の内容としては、焦点距離を変更して撮影する旨を示唆したりして、類似効果の写真が撮影できるようなアドバイスがある。また、露出が合わない時には、もっと明るくするとか、暗くするとか、アドバイスするようなコメントを表示する。もちろん、まったく同じ環境や条件で撮影することは出来ないので、露出はシャッターや絞りなど、優先すべきものを優先させて撮影するようにする。
【００５６】
ステップＳ１に戻り、レリーズスイッチ１５ａの操作を待つ。レリーズスイッチ１５ａが操作がされると（ステップＳ１ＹＥＳ）、再度露出やＡＦの制御を行う（ステップＳ２）。そして、参照撮影でないときは（ステップＳ３ＮＯ）、ＡＥ等で設定される通常の撮影条件のままで撮影を実行する。そして撮影画像に画像処理と圧縮処理をして記録メディア９に記録する（ステップＳ４）。
【００５７】
参照撮影が設定されたときには（ステップＳ３ＹＥＳ）、参照していたお手本画像と同じような撮影条件で撮影を行う。プロの構図を手本にするだけでなく、撮影条件もあわせることで、よりお手本画像に近い撮影が期待できるからである。そこで、お手本画像の撮影モードに類似する撮影モードを選択する（ステップＳ５）。
【００５８】
前述のように、お手本画像データには、撮影したカメラマンを特定する情報や、撮影時の露出制御情報、操作情報が添付されている。この情報をもとに、自動的にユーザーのカメラが設定される。
例えばカメラ１が一眼レフカメラの場合、カメラマンの持っている機材と、ユーザーの持っている機材との差異が大きすぎる可能性があるので、その場合も、機材の差を極力なくすような制御を推奨するようにする。つまり、プロカメラマンのレンズの開放Ｆ値がＦ２．８で、ユーザーのカメラのＦ値が開放でもＦ３．５である場合、開放で撮影することのみを揃え、同様のぼけ量にするために、焦点距離で調整するようにする。
【００５９】
図８は、被写体距離に対する深度の変化を表すグラフで、焦点距離の違うカーブを２つ示す。焦点距離を変化させることによっても、被写体深度を調整できることを説明する図である。縦軸に被写界深度、横軸に距離Ｌの逆数を取る。距離無限大が左方向、至近が右方向になる。いずれも、距離が近いほど（右方向）深度は浅くなって、背景をぼかすことができる。そして、短い焦点距離の方（例えばｆ＝１０ｍｍ）がぼけにくく、焦点距離が長いほど（ｆ＝２０ｍｍ）深度が浅くなってぼけやすくなる。このような特性を利用すれば、違う機材、違うシーンでも、類似の撮影効果を得ることが出来る。
【００６０】
図９は類似条件選択のサブルーチンである。図９のフローチャートにより類似条件選択の手順を説明する。単に絞りを開くなど、カメラが自動制御できるものは、このフローに従って、カメラの撮影制御を自動設定、切替してもよい。ユーザーの使用するカメラ１がお手本画像の撮影に使用されたカメラと同一機種かを判断する（ステップＳ５１）。同一機種のカメラなら（ステップＳ５１ＹＥＳ）、被写体距離の差が大きいかを判断する（ステップＳ５２）。被写体距離の差が大きくなければ（ステップＳ５２ＮＯ）、焦点距離やＦ値（絞り）を、お手本画像の撮影条件と同じに設定する（ステップＳ５４）。同様の撮影効果が確実に得られるからである。また、被写体距離の差が大きければ（ステップＳ５２ＹＥＳ）、簡単には距離を変えられない事情があるとして、焦点距離はユーザーに選ばせて、Ｆ値のみお手本画像と同一に設定する露出制御を行う(ステップＳ５３)。
【００６１】
一方、機種が異なる場合（ステップＳ５１ＮＯ）、そのお手本画像でぼけが重要かを判断する（ステップＳ５５ＹＥＳ）。例えばポートレイト画像であればぼけが重要になる。お手本画像でぼけが重要でない場合には（ステップＳ５５ＮＯ）、通常のプログラム制御を行う（ステップＳ６１）。また、ぼけが重要なら（ステップＳ５５ＹＥＳ）、絞りが切替設定可能かどうかを判定し（ステップＳ５６）、可能なら（ステップＳ５６ＹＥＳ）絞り制御を行うよう設定する（ステップＳ６０）。
【００６２】
また、絞りが十分には開かないカメラでは（ステップＳ５６ＮＯ）、焦点距離が変更可能か判断する（ステップＳ５７）。焦点距離が変更可能なら、図８で説明したように焦点距離を望遠側または広角側にすることで、被写界深度を浅くあるいは深くすることが出来るからである。カメラの焦点距離が変更可能なときには（ステップＳ５７ＹＥＳ）、ズーム比を調整して焦点距離を望遠側あるいは広角側に設定する（ステップＳ５９）。または、ズーム比を変更するようにパネル上にユーザーにアドバイスする。
【００６３】
また、焦点距離が変更できないあるいは変更禁止に設定されたときには（ステップＳ５７ＮＯ）、もっと近距離に寄れば、ぼけの効果を出せるとして、その旨を警告（アドバイス）表示する（ステップＳ５８）。このようなときには、図７で示したように、お手本画像Ｋｓと共に、ガイド文Ｋｃを表示パネル８に表示する。ここでは図示していないが、モニタ画像Ｋｍを並べて表示させてもよい。
【００６４】
図３のメインフローに戻る。上記サブルーチンで設定されたお手本画像の撮影条件に類似した条件にカメラ１を設定して撮影を実行し、撮影画像を記録する（ステップＳ６）。さらに、参照したお手本画像に関する情報も、撮影画像に関連させて記録する（ステップＳ７）。あわせてガイド文も記録する。後の鑑賞の際に参考になるからである。
【００６５】
このような工夫によって、初心者でも簡単に、お手本画像の撮影条件に近い条件で撮影する事が可能となる。そして、お手本画像と同様の効果を持った写真が撮影できるようになる。
【００６６】
また、お手本に従って撮影した結果を送信して発表することができる。再生モードで送信が選択されれば（ステップＳ２２ＹＥＳ）、送信画像の表示を行う（ステップＳ２３）。送信操作があれば（ステップＳ２４ＹＥＳ）、入出力部１０により指定されたアドレスに撮影画像が送信される（ステップＳ２５）。アドレスは、お手本画像に付帯されている情報により特定する。この送信は、ＵＳＢケーブル経由でＰＣを介する送信であったり、ＬＡＮケーブル経由であったり、無線ＬＡＮ、赤外線通信であったりしてもよい。
【００６７】
写真雑誌などを持ち歩いて撮影する場合は、どこにその記事が出ていたかをいちいち調べるのに手間隙がかかった。この発明のカメラであれば、撮影時に迅速に、これから撮影する画像の特徴に従って（いわば、それを索引にするような考え方で）、そうしたテーマの写真撮影時に注意すべき項目などを表示させることができ、わざわざ写真の雑誌や専門書を別に持って歩く必要がなくなる。カメラだけを持って出かけ、お手本画像をあらかじめ見ておけば、写真撮影上の注意点のいくつかを頭の中にとどめておくことができ、より作品性の高い撮影ができるようになる。
【００６８】
（第２実施形態）
第２実施形態では本願発明を一眼レフカメラに適用した例を説明する。一眼レフタイプのカメラであっても、同様の効果を得ることが出来るからである。図１０から図１２を用いて説明する。図１０は、撮影時に一眼レフカメラ３０が操作される様子を背面から見た図である。いわゆる一眼レフカメラとは、撮影レンズからの光路が撮影用の撮像素子への光路と、ファインダー用の光路に分けられているカメラである。こうした構成により、レンズを交換可能にする設計が比較的容易にできる。
【００６９】
図１１は、一眼レフカメラ３０の光学系の概略を示す図である。図１１（Ａ）はメインミラーが下がった状態、図１２（Ｂ）はメインミラーが上がった状態を示す。この一眼レフカメラ３０は、電気的構成は図１で示したカメラ１と同一なのでブロック図は省略し、理解容易のために、カメラ１と同一構成部には同一の符号を付して示す。
【００７０】
一眼レフカメラ３０の光学系には、撮影レンズ部２、メインミラー３１、ペンタプリズム３２、接眼レンズ３３、サブミラー３４及びAFセンサ３５が設けられる。撮影レンズ部２は、被写体２０の像を撮像素子４に結像する。メインミラー３１は撮影レンズ部２を通過した光を反射する位置と通過させる位置の２つの位置を移動する。ペンタプリズム３２は、メインミラー３１で反射された被写体２０の像を接眼レンズ３３に導く。接眼レンズ３３は、被写体２０の像を撮影者の目に導く。
【００７１】
サブミラー３４は、メインミラー３１の裏面に回動自在に取り付けられ、メインミラー３１の一部に設けられたハーフミラー領域を通過する光を更に反射させる。AFセンサ３５は、サブミラー３４から反射された光を用いて、位相差によってピント位置を検出する。さらに、ペンタプリズム３２にサブ撮像素子３６が設けられ、サブ撮像素子３６から出力される画像信号に表示用の処理をする処理回路３７が備えられる。この状態でもサブ゛撮像素子３６により、被写体２０の画像を表示部１２で観察することもできる。
【００７２】
図１１（Ｂ）は、メインミラー３１が光路外に退避した撮影時の状態を示す。被写体２０の像は撮影レンズ部２を介して撮像素子４に入射する。サブミラー３４は、回動されて光路から退避するような位置にある。被写体２０の像は撮像素子４で電気信号に変換され、各種処理後に記録再生部８に入力され、記録メディア９に記録される。
【００７３】
このような一眼レフカメラのひとつの特徴は、撮影レンズを介して得た画像を、メインミラー３４やペンタプリズム３２、接眼レンズ３３を利用して光学的に観察できることであって、電気回路を介さず、リアルタイムで撮影被写体を観察できることである。メインミラー３１の一部をハーフミラーとして、サブミラーで折り返した画像などを専用のＡＦ手段に導くことによって、高速のピント合わせを可能としている。
【００７４】
そしてメインミラー３１をダウンさせた状態でも、サブ撮像素子３６からの画像信号を処理回路３７を利用して撮影シーンの特徴を検出することができる。得られたモニタ画像Ｋｍ、お手本画像Ｋｓや注意ポイントの文章であるガイド文Ｋｃをカメラ背面に儲けられた表示部１２に表示することが出来る。
【００７５】
図１２は、表示部１２に表示される画像例である。接眼レンズ３３を覗かないで、このような表示部１２を見ながらの撮影を行うことができる。この時の操作例としては、スイッチ１５ｂの操作により、その瞬間の画像が取得して、対応するお手本画像が検索されて表示される。お手本画像がシャッタースピード優先か、絞り優先かをコメントに書いておくと、初心者でもそれを真似て撮影が出来る。もちろん、図９で説明したように、カメラがその情報を読み取って、自動でそれが設定できるようにしてもよい。
【００７６】
別な態様として、撮影を終えるたびにお手本画像とアドバイスコメントを表示部１２に表示させるようにしてもよい。撮影時には接眼レンズ３３を覗いて撮影に集中するようにして、撮影後にお手本画像と比較して、次の撮影に生かすようにしてもよい。  
【００７７】
（第３実施形態）
第３実施形態では、図１３、図１４を用いて、撮影画像の外部公開および撮影画像に対するコメントの入手が行われるにことについてを説明する。  図１３は、カメラと、このカメラとネットワークを介して接続され撮影技術向上に役立つデータを提供する通信制御装置からなる撮影技術援助システムの全体図である。ユーザー６０のカメラ１とプロバイダの通信制御装置５２とプロカメラマン５１（批評者）間での画像データ等の流れを示す図である。ここでカメラ１はＰＣを介してネットワークにつながっても当然よい。なお、このカメラ１、その撮影処理や通信制御装置５２については、第１実施形態で説明したブロック図（図１）やフローチャートと同様なので、詳細説明は省略する。
【００７８】
同図（Ａ）は、ユーザー６０の撮影画像Ｄｍがカメラ１からネットワーク５０を通じて、通信制御装置５２とプロカメラマン５１に送信される流れを示す図である。ユーザー６０の送信指示によって、お手本撮影による撮影画像Ｄｍとこれに添付される添付情報Ｄｃが、カメラ１の入出力部１０より所定のアドレスに出力される。添付情報Ｄｃには、その撮影に利用したお手本画像の情報が含まれる。送信先のアドレス情報は、お手本画像の情報（付属情報Ｄａ）に予め記載されているので、ＭＰＵ１４がこれを読み取り、送信先を指定する。これによりユーザーは画像を選択するだけでよく、送信先のアドレスを指定する手間が省ける。
【００７９】
カメラ１の入出力部１０より出力された撮影画像Ｄｍと添付情報Ｄｃはネットワーク５０を介して、プロバイダに送られ、通信制御装置５２のメモリ５２ｃに保存される。プロバイダが所有する通信制御装置５２はこの撮影画像Ｄｍを自社のホームページ５３に掲載するよう処理することもできる。また、通信制御装置５２は、添付されているお手本画像の情報からこの画像の批評を担当するプロカメラマン５１のアドレス情報を判別し、撮影画像Ｄｍをプロカメラマン５１に送信する。プロカメラマン５１は撮影画像Ｄｍを入手することができる。プロカメラマン５１の持つ携帯電話などに送信すれば、プロカメラマン５１の自由を拘束するのを最小限に抑えた形で、批評を仰ぐことが出来る。
【００８０】
図１３（Ｂ）は、プロカメラマン５１からの批評コメントがネットワーク５０を通じてユーザー６０に送られる流れを示す図である。プロカメラマン５１は、送信された撮影画像Ｄｍを見て、この撮影画像に関する批評分やコメントである批評コメントＤｐを作成し、通信制御装置５２に送り返す。通信制御装置５２は、ＨＰ作成部５２ｄによって批評コメントＤｐを先のホームページ５３上に掲載するよう処理もできる。通信制御装置５２はこの批評コメントＤｐを撮影画像Ｄｍを撮影したユーザー６０のカメラ１に転送する。
【００８１】
ユーザー６０はその批評コメントＤｐを受けとる。ユーザー６０は、お手本画像を撮影したプロカメラマンに批評が仰げるので、人物を得意とするカメラマン、風景を得意とするカメラマン、昆虫を得意とするカメラマンと、最も相応しい講師の批評を受けることができる。このようなフィードバックシステムによって、ユーザーの写真撮影の腕前の向上が、確実に期待できる。また、プロカメラマン５１にとっても、一般のユーザーの撮影画像を見る機会が増えるので、どんな写真が好まれるかを判断することが出来、今後の活動の参考にすることが出来る。
【００８２】
図１４は、上記のシステムによる送受信の手順を示すフローチャートである。この処理は、プロバイダの通信制御装置５２のＣＰＵ５２ａの制御処理により主に行われる。ユーザー６０からの通信内容が、撮影画像Ｄｍの送信に係るものであるかを判定する（ステップＳ７１）。撮影画像Ｄｍの送信であったら（ステップＳ７１ＹＥＳ）、撮影画像に添付された添付情報Ｄｃの内容を判定する（ステップＳ７２）。撮影画像Ｄｍをしかるべきホームページ（ＨＰ）５３やブログ画面に掲載する処理を行う（ステップＳ７３）。添付情報Ｄｃにお手本画像を参照して撮影した旨の情報が含まれているかを判断する（ステップＳ７４）。その情報が含まれていたら（ステップＳ７４ＹＥＳ）、お手本画像の情報に基づいて、この撮影画像Ｄｍをそのお手本画像を撮影したプロカメラマン５１あるいは関連するプロカメラマン５１に送信する（ステップＳ７５）。
【００８３】
プロカメラマン５１は、それを見て批評コメントＤｐを作成して通信制御装置５２に送信する。通信制御装置５２は、プロカメラマン５１のコメントDｐの受信を判断する（ステップS７６）。受信すると（ステップS７６ＹＥＳ）批評コメントＤｐの内容を判定する（ステップＳ７７）。批評コメントＤｐがよい内容のコメントであれば（ステップＳ７７ＹＥＳ）、ホームページ５３上の掲載を許す（ステップＳ７８）。良いコメントでなければ（ステップＳ７７ＮＯ）、ホームページ５３で公にすることはしない。批評コメントＤｐの内容の具体的判断は、専門の人間が行う。
【００８４】
コメントしてくれたプロカメラマン５１には支払い手続きを行う（ステップＳ７９）。もちろん、良いコメントに対しては、よい支払いにしたり、たくさんのユーザーからお手本とされた写真家には、それを加味した支払いを行ったりするようにする。そして、ユーザー６０（写真撮影者）に批評コメントＤｐを送信する（ステップＳ８０）。ステップＳ７６で批評コメントＤｐを受信しないときは、ステップＳ８１に進む。
【００８５】
そして、新しいお手本画像を紹介するために、お手本画像の写真カタログＤｕをユーザーに送信する（ステップＳ８１）。この写真カタログＤｕは縮小画像データで、そのままではお手本画像にはならないものである。ユーザー６０は送信された写真カタログＤｕを見て、気に入ればプロバイダに注文する。通信制御装置５２はユーザー６０から写真カタログＤｕに対応するお手本画像の依頼があった場合（ステップＳ９１ＹＥＳ）、入金を確認する（ステップＳ９２）。入金を確認したら（ステップＳ９２ＹＥＳ）、カメラのメモリ（記録メディア９またはＲＯＭ１６）に保存可能なお手本画像の写真集をユーザーに対して送信する（ステップＳ９３）。入金がなければユーザー６０に入金を依頼する（ステップＳ９４）。ユーザーはこの写真集を見ながら、また撮影に挑むことが出来る。
【００８６】
これによって、撮影した作品を簡単に外部に公開することができ、かつお手本を見ながら撮影した画像に対する専門家からのアドバイスも得ることができるので、撮影技術のスキルアップをより効率的に図ることができる。
【００８７】
またこのような撮影技術援助システムの運営は、カメラメーカーが販売促進費、広告費を利用して、お手本画像の一部に広告を入れたり、他の会社の広告やロゴを入れたりして、広告料の収入で賄うようにしてもよい。また、写真の技術を向上させたいユーザーが、授業料の形でお金を支払い、それをもとに、サービス会社が、お手本写真を撮影するカメラマンと交渉したりするようにしてもよい。
【００８８】
また、ここでは、撮影時に参照したお手本写真から、コメントを受け取る写真家を特定したが、写真家ごとに分類せずとも、ネイチャー、マクロ、風景写真など、写真のカテゴリーごとに、分類して連絡が取れるようなシステムにしてもよい。
【００８９】
（その他の例）
上記各実施形態で説明したＭＰＵ１４の処理に関しては、一部または全てをハードウェアで構成してもよい。逆に、色判別部６ｂや顔検出部６ｄ等のハードウェアをソフトウェアで構成しても良い。具体的な構成は設計事項である。
【００９０】
そして、ＭＰＵ１４による各制御処理は、ＲＯＭ１６に格納されたソフトウェアプログラムがＭＰＵ１４に供給され、供給されたプログラムに従って上記動作させることによって実現されるものである。従って、上記ソフトウェアのプログラム自体がＭＰＵ１４の機能を実現することになり、そのプログラム自体も本発明を構成する。ＣＰＵ５２ａによる制御処理も同様である。
【００９１】
また、そのプログラムを格納する記録媒体も本発明を構成する。記録媒体としては、フラッシュメモリ以外でも、ＣＤ−ＲＯＭ、ＤＶＤ等の光学記録媒体、ＭＤ等の磁気記録媒体、テープ媒体、ＩＣカード等の半導体メモリ等を用いることができる。また、各実施形態では本願発明をデジタルカメラに適用した例を説明したが、これに限らず例えば携帯電話のカメラ部に適用しても良い。  
【００９２】
さらに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００９３】
【図１】第１実施形態において、本発明が適用されるカメラ１の全体ブロック図。
【図２】第１実施形態において、参照撮影の撮影シーンを説明する図。
【図３】第１実施形態において、参照撮影の制御処理の手順を示すフローチャート。
【図４】第１実施形態において、顔検出を説明するための図。
【図５】第１実施形態において、類似画像検索の手順を説明するサブルーチン。
【図６】第１実施形態において、２つのお手本画像Ｋｓとモニタ画像Ｋｍが表示された画面。
【図７】第１実施形態において、ガイド文Ｋｃとモニタ画像Ｋｍを表示した例。
【図８】第１実施形態において、一眼レフカメラの光学系の概略を示す図。
【図９】第１実施形態において、類似条件選択の手順を説明するサブルーチン。
【図１０】第２実施形態において、撮影時に一眼レフカメラ３０が操作される様子を背面から見た図  。
【図１１】第２実施形態において、一眼レフカメラ３０の光学系の概略を示す図。
【図１２】第２実施形態において、表示部１２に表示される画像例を示す図。
【図１３】第３実施形態において、ユーザー６０とプロバイダの通信制御装置５２とプロカメラマン５１間での画像データ等の流れを撮影技術援助システムして示す図。
【図１４】第３実施形態において、システムによる送受信の手順を示すフローチャート。
【符号の説明】
【００９４】
１…カメラ、２…撮影レンズ部、２ａ…ＡＦ制御部、３…絞り部、３ａ…絞り制御部、
４…撮像素子、５…ＡＦＥ部、６…画像処理部、６ａ…増感部、６ｂ…色判別部、６ｃ…コントラスト判定部、６ｄ…顔検出部、７…圧縮伸長部、７ａ…圧縮部Ｍ、７ｂ…圧縮部Ｓ、
８…記録再生部、９…記録メディア、１０…入出力部、１１…表示制御部、１１ａ…マルチ制御部、１２…表示部
１４…ＭＰＵ、１５ａ…レリーズスイッチ、１５ｂ…モードスイッチ、１５ｃ…その他スイッチ、１６・・・ＲＯＭ、
２０…被写体、３０…一眼レフカメラ、３１…メインミラー、３２…ペンタプリズム、３３…接眼レンズ、３４…サブミラー、３５…ＡＦセンサ、
５０…ネットワーク、５１…プロカメラマン、５２…通信制御装置、５２ａ…ＣＰＵ、５２ｂ…通信部、
５２ｃ…メモリ、５２ｄ…ＨＰ作成部、５３…ホームページ、６０…ユーザー、
Ｄａ…付属情報、Ｄｍ…撮影画像、Ｄｃ…添付情報、Ｄｐ…批評コメント、Ｄｕ…写真カタログ、
Ｋｓ…お手本画像、Ｋｃ…ガイド文、Ｋｍ…モニタ画像、
【図１】
2008066886.tif 000003
【図２】
2008066886.tif 000004
【図３】
2008066886.tif 000005
【図４】
2008066886.tif 000006
【図５】
2008066886.tif 000007
【図６】
2008066886.tif 000008
【図７】
2008066886.tif 000009
【図８】
2008066886.tif 000010
【図９】
2008066886.tif 000011
【図１０】
2008066886.tif 000012
【図１１】
2008066886.tif 000013
【図１２】
2008066886.tif 000014
【図１３】
2008066886.tif 000015
【図１４】
2008066886.tif 000016